(57)【要約】本発明は光源モジュールおよびこれを含む照明装置に関し、照明器具の角度を変更せずに適用場所および環境に適合した光源の配光角度および方向を容易かつ多様に実現することができる。
2011513931.tif 000002
【特許請求の範囲】
【請求項１】
光源の発光部と、
前記光源の照射方向を決めるために、反射面を有する光源ガイドホールが備えられたリフレクターモジュール部とを含み、
該リフレクターモジュール部には、前記光源の照射が傾斜した方向になされるように、前記反射面が前記光源の光軸に対して非対称の方向性をもって形成された複数の第１光源ガイドホールが備えられ、前記複数の第１光源ガイドホールの各々の一端に前記光源の発光部が備えられることを特徴とする光源モジュール。
【請求項２】
前記リフレクターモジュール部は、
単一プレートタイプのベース部材を含み、該ベース部材の周辺部に前記複数の第１光源ガイドホールが一体に備えられることを特徴とする請求項１に記載の光源モジュール。
【請求項３】
前記リフレクターモジュール部は、
複数の結合孔が周辺部に形成されたベース部材と、
前記第１光源ガイドホールが一体に形成された複数の回転フレームを含み、
該回転フレームが前記複数の結合孔の各々に回転可能に嵌め込まれていることを特徴とする請求項１に記載の光源モジュール。
【請求項４】
前記回転フレームの外周面に回転ガイド突起が備えられ、前記結合孔の内周面に前記回転ガイド突起を位置決めする回転ガイド溝部が形成されることを特徴とする請求項３に記載の光源モジュール。
【請求項５】
前記リフレクターモジュール部に、光源の照射が直進方向になされるように反射面が光源の光軸に対して対称の方向性をもって形成された、少なくとも一つの第２光源ガイドホールが備えられ、
該第２光源ガイドホールの一端に光源の発光部が備えられ、
前記第２光源ガイドホールは前記リフレクターモジュール部の中心部に形成されることを特徴とする請求項１に記載の光源モジュール。
【請求項６】
前記第１光源ガイドホールは反射面が傾斜面および垂直面の組み合わせとして構成され、
前記第２光源ガイドホールは反射面が傾斜面として構成されることを特徴とする請求項５に記載の光源モジュール。
【請求項７】
前記第１光源ガイドホールおよび前記第２光源ガイドホールの反射面に乱反射のための突起が形成されることを特徴とする請求項５に記載の光源モジュール。
【請求項８】
前記ベース部材は、係止部が備えられた回転ガイドリブをさらに含むことを特徴とする請求項２または３に記載の光源モジュール。
【請求項９】
照明器具ハウジングと、
該照明器具ハウジングに設けられ、互いに同一または異なる角度で形成された複数の取付け傾斜面を含む取付けフレームと、
該取付けフレームの取付け傾斜面の各々に設けられた複数の光源モジュールとを含み、
該光源モジュールは、
光源の発光部と、
前記光源の照射方向を決めるために、反射面を有する光源ガイドホールが備えられたリフレクターモジュール部とを含み、
該リフレクターモジュール部には、前記光源の照射が傾斜した方向になされるように、前記反射面が前記光源の光軸に対して非対称の方向性をもって形成された複数の第１光源ガイドホールが備えられ、
該複数の第１光源ガイドホールの各々の一端に前記発光部が備えられることを特徴とする照明装置。
【請求項１０】
前記取付けフレームは少なくとも一つの取付け平面をさらに含み、該取付け平面に前記光源モジュールが設けられることを特徴とする請求項９に記載の照明装置。
【請求項１１】
前記リフレクターモジュール部は、
単一プレートタイプのベース部材を含み、
該ベース部材の周辺部に前記複数の第１光源ガイドホールが一体に備えられることを特徴とする請求項９または１０に記載の照明装置。
【請求項１２】
前記リフレクターモジュール部は、
複数の結合孔が周辺部に形成されたベース部材と、
前記第１光源ガイドホールが一体に形成された複数の回転フレームとを含み、
該回転フレームが前記複数の結合孔の各々に回転可能に嵌め込まれていることを特徴とする請求項９または１０に記載の照明装置。
【請求項１３】
前記回転フレームの外周面に回転ガイド突起が備えられ、前記結合孔の内周面に前記回転ガイド突起を位置決めする回転ガイド溝部が形成されることを特徴とする請求項１２に記載の照明装置。
【請求項１４】
前記リフレクターモジュール部に、光源の照射が直進方向になされるように反射面が光源の光軸に対して対称の方向性をもって形成された、少なくとも一つの第２光源ガイドホールが備えられ、
該第２光源ガイドホールの一端に光源の発光部が備えられ、
前記第２光源ガイドホールは前記リフレクターモジュール部の中心部に形成されることを特徴とする請求項９または１０に記載の照明装置。
【請求項１５】
前記第１光源ガイドホールは反射面が傾斜面および垂直面の組み合わせとして構成され、
前記第２光源ガイドホールは反射面が傾斜面として構成されることを特徴とする請求項１４に記載の照明装置。
【請求項１６】
前記第１光源ガイドホールおよび第２光源ガイドホールの反射面に乱反射のための突起が形成されることを特徴とする請求項１４に記載の照明装置。
【請求項１７】
前記ベース部材は、係止部が備えられた回転ガイドリブをさらに含むことを特徴とする請求項１１に記載の照明装置。
【請求項１８】
前記取付け傾斜面には前記光源モジュールが結合されて回転可能に前記回転ガイドリブに対応するリブスリットが形成されることを特徴とする請求項１７に記載の照明装置。
【請求項１９】
支柱をさらに含み、該支柱の上端に前記照明器具ハウジングが結合されることを特徴とする請求項９または１０に記載の照明装置。
【発明の詳細な説明】
【技術分野】
【０００１】
本発明は、光源モジュールおよびこれを含む照明装置に関する。より詳しくは、本発明は、照明器具の角度を変更せずに、光源の配光角度および方向を多様に変更することができる、光源モジュールおよびこれを含む照明装置に関する。
【背景技術】
【０００２】
一般的に、街灯のような照明装置は、概略的に支柱(post)および光源が備えられた照明器具からなる。このような照明装置は、歩道、橋梁、道路、公園などに所定間隔をおいて設置され、夜間に歩行者または自動車の走行道を照らしたり、道に審美感を与えたりする機能を有し、通常、道端に立てられ、外部からの電源印加によって光源は光を照射するようになる。
通常、街灯は、例えば、約４〜６ｍ（保安灯）、約８〜１２ｍ（車両通行道路）の高さで設置される。このとき、設置場所、道路または歩道の幅、街灯の間隔などに応じ、多様な配光形態を必要とする。このように多様な要求を充足させるためには、照明器具の内・外部構造を状況に合わせて設計する必要がある。
【０００３】
前述したように、街灯のような照明装置は、道端の地面から直立設置された支柱の上端に設置され、通常、支柱に沿って延びる電気配線を通じて電流を供給し、このとき、光源部として高圧水銀灯、蛍光灯、ナトリウム灯、普通の電球、発光ダイオード（ＬＥＤ）光源などが用いられている。
これと関連し、最近では、ＬＥＤが半永久的な寿命、比較的に低い消費電力、高い輝度特性などを示すことができるため、各種照明装置の光源として脚光を浴びている。ＬＥＤを光源として用いる照明装置の場合、光の直進性および集束性が特徴となる。
【０００４】
ところで、従来のＬＥＤ光源を用いる照明装置の場合、次の（１）〜（４）のような問題点を有している。
（１）街灯下に高い照度を実現するために、ＬＥＤ光源部に、レンズまたはリフレクター（反射を利用した集光部材）を個別的に用いて、集光がなされるようにする。したがって、複数のＬＥＤ光源部を用いる場合、ＬＥＤ光源部に、個別的にレンズまたはリフレクターを組み立てるため、資材費用の上昇、組み立て費用の上昇、不良増加などの問題点がある。
【０００５】
（２）特に、ＬＥＤ光源は、その特性上、単方向発光をし、このとき、通常、約９０〜１２０°の発光角度を維持する。レンズまたはリフレクターを用いる場合、発光角度は、集光効果により、約１５〜６０°のレベルに減少する特性を有する。このため、街灯の用途として適用する時、広い面積を効果的に照らすためには、より多くの照明装置を設置するか、または、照明装置の照明器具の内部に傾斜面が形成された構造を有する街灯を採択するしかない。しかし、一つの照明器具では、一つの配光形態だけを実現できるだけであって、他の形態の配光を実現するためには、他の照明器具を製作しなければならないといった、技術的な限界がある。
このように、従来技術は配光態様の多様化に限界がある。特に、広い配光特性を達成するために、照明器具に過度な傾斜面を形成する場合、照明器具のサイズが大きくなることによって照明器具の重さも増加して、支柱から離脱を誘発する恐れがあるだけでなく、スリムなデザインを好むといった傾向にも符合しない短所がある。
【０００６】
(３)ＬＥＤ光源部にレンズまたはリフレクターを用いて集光する場合、光の直進特性によってグレア（glare）現象が生じる。この場合、運転者および歩行者の通行に不便を与えることは勿論、何らかの不具合を誘発したり増加させたりする問題点がある。
(４)項目（３）で指摘されたグレアの問題を解決するために、照明器具に拡散ガラスおよび拡散処理されたポリカーボネート（PC）などのカバーを適用する場合もあるが、この場合には、照度が急激に減少して照明器具の効率が低下する短所がある。
【０００７】
以上で述べたように、ＬＥＤ光源を用いる照明装置は、多くの長所があるにもかかわらず、実際に街灯のような照明装置の用途として適用する過程において、また他の技術的、経済的な短所も有している。したがって、ＬＥＤ光源を用いる照明装置の長所を十分に維持すると共に、それを用いることに伴い引き起こされる問題点を克服することが必要である。さらには、照明装置が設置される多様な空間ごとに要求される照明環境に符合する配光特性を、より容易かつ効率的に達成することが求められている。
【発明の概要】
【発明が解決しようとする課題】
【０００８】
したがって、本発明は、上述した従来技術の技術的な限界を解決するために導き出されたものであって、ＬＥＤ光源を用いて多様な配光特性を与えることができる光源モジュールを提供する。
また、本発明は、照明装置の照明器具の構造を変更せずに適用場所および環境に適合した光源の配光角度および方向を、容易かつ多様に実現できる照明装置を提供する。
【課題を解決するための手段】
【０００９】
本発明の第１実施形態によれば、
光源の発光部と、
前記光源の照射方向を決めるために、反射面を有する光源ガイドホールが備えられたリフレクターモジュール部とを含み、
前記リフレクターモジュール部には、前記光源の照射が傾斜した(inclined)方向になされるように、前記反射面が前記光源の光軸(optical axis)に対して非対称の方向性をもって形成された複数の第１光源ガイドホールが備えられ、
前記複数の第１光源ガイドホールの各々の一端に前記発光部が備えられることを特徴とする光源モジュールが提供される。
【００１０】
前記リフレクターモジュール部はベース部材に第１光源ガイドホールが備えられる形態であってもよく、このとき、前記第１光源ガイドホールはベース部材の周辺部に一体に備えられることが好ましい。
【００１１】
前記リフレクターモジュール部には、光源から放出される光が直進方向（例えば、光源の光軸と同一または平行した方向）に照射されるように、反射面が光源の光軸に対して対称の方向性をもって形成された、少なくとも一つの第２光源ガイドホールがさらに含まれることができる。このとき、前記第２光源ガイドホールはベース部材の中心部に一体に備えられることが好ましく、前記第２光源ガイドホールの一端には光源の発光部が備えられる。
【００１２】
本発明の好ましい実施形態によれば、前記第１光源ガイドホールの他端は前記ベース部材の平面視で長円形（elliptic shape）を形成できる一方、前記第２光源ガイドホールの他端は前記ベース部材の平面視で円形を形成することができる。
本発明の好ましい実施形態によれば、第１光源ガイドホールにおいて、「非対称」性は反射面のチルト（tilting）角度が各方向において区別されることにより実現される。例えば、反射面が傾斜面と垂直面の組み合わせ（混合）で構成されることができる。また、第２光源ガイドホールにおいて、「対称」性は反射面のチルト角度が全ての方向において同一であり、反射面が傾斜面として構成されることができる。
【００１３】
本発明の好ましい実施形態によれば、第１および第２光源ガイドホールの内周面（すなわち、反射面）に突起を形成することによって光の乱反射を誘導することができ、これにより、グレア現象をさらに改善することができる。
本発明の好ましい実施形態によれば、前記光源モジュールのベース部材には係止部が備えられた回転ガイドリブをさらに含むことができ、前記回転ガイドリブは後述の如く、照明装置の照明器具内の取付けフレームのリブスリット（ホール）と容易に結合できるため、取付けの便宜性を向上する機能を有する。
【００１４】
択一的に、本発明の実施形態による光源モジュールは、リフレクターモジュール部のベース部材に複数の結合孔を形成し、前記複数の結合孔の各々に第１光源ガイドホールが形成された回転フレームを回転可能に嵌め込まれて構成することもできる。このとき、回転フレームがベース部材において回転できるように回転フレームの外周面には回転ガイド突起が備えられ、前記ベース部材には結合孔の内周面に前記回転ガイド突起を位置決めするための回転ガイド溝部が形成されることが好ましい。
【００１５】
本発明の第２実施形態によれば、
照明器具ハウジングと、
該照明器具ハウジングに設けられ、互いに同一または異なる角度で形成された複数の取付け傾斜面を含む取付けフレームと、
該取付けフレームの取付け傾斜面の各々に設けられた複数の光源モジュールとを含み、
該光源モジュールは、
光源の発光部と、
前記光源の照射方向を決めるために、反射面を有する光源ガイドホールが備えられたリフレクターモジュール部とを含み、
該リフレクターモジュール部には、前記光源の照射が傾斜した方向になされるように、前記反射面が前記光源の光軸に対して非対称の方向性をもって形成された複数の第１光源ガイドホールが備えられ、
該複数の第１光源ガイドホールの各々の一端に前記発光部が備えられた照明装置が提供される。
【００１６】
前記照明装置は街灯のような用途として適用される場合、地面に設けられた支柱の上側部（上端）に設けられる。
前記照明器具に設けられる取付けフレームは少なくとも一つの取付け平面をさらに含むことができ、このとき、前記取付け平面にも上述した光源モジュールが備えられる。
【００１７】
前記取付けフレームの取付け傾斜面および／または取付け平面には光源モジュールの回転ガイドリブに対応するリブスリットが形成されることが好ましく、これにより、光源モジュールが取付け傾斜面および／または取付け平面と結合された状態で回転することができる。また、前記照明器具内に設けられた取付けフレームの外周に沿って光拡散フレームがさらに備えられることができる。
【発明の効果】
【００１８】
本発明に係る光源モジュールおよびこれを含む照明装置は、下記のような長所を有する。
第１に、照明器具を変更せずにリフレクターモジュールの回転角度を変更することによって容易かつ多様な配光形態を実現することができる。
第２に、ＬＥＤ光源部から直接発光される光ではなく、一定部分の方向性を有する配光形態および光源ガイドホールに乱反射突起を形成することにより、グレア現象を改善し、グレア現象に起因する不具合を最小化することができる。
第３に、拡散ガラスおよびポリカーボネートなどのカバーを適用することがなくても、透明なカバーを適用することによって照度（効率）の向上効果を期待することができる。
第４に、照明器具の内部に過度な傾斜面を形成する必要がないため、照明装置の重量を低減しつつ、スリムなデザインの創出を実現することができる。
第５に、ＬＥＤ素子を光源として用いる光源部に個別的にレンズまたはリフレクターを組み立てる必要性がないため、生産性の向上による費用節減および不良減少の効果を期待することができる。
【図面の簡単な説明】
【００１９】
【図１】本発明の第１実施形態により提供される光源モジュールのうち、リフレクターモジュール部の構造を概略的に示す平面図である。
【図２】図１に示されたリフレクターモジュール部のＡ−Ａ’線断面図である。
【図３】図１に示されたリフレクターモジュール部のＢ−Ｂ’線断面図である。
【図４】図１に示されたリフレクターモジュール部に光源の発光部が配置された構成と、第１および第２光源ガイドホールを通じて光源の発光部から放出される光の経路を概略的に示す図である。
【図５】本発明の第２実施形態により提供される照明装置の外観を概略的に示す図である。
【図６】本発明の第２実施形態により提供される照明装置において、取付けフレームに光源モジュールが結合された構造を概略的に示す平面図である。
【図７】本発明の第２実施形態により提供される照明装置において、図６のＣ−Ｃ’線の断面を概略的に示す図である。
【図８】本発明の第２実施形態により提供される照明装置において、図６のＤ−Ｄ’線の断面を概略的に示す図である。
【図９】本発明の第２実施形態により提供される照明装置において、図６のＥ−Ｅ’線の断面を概略的に示す図である。
【図１０】本発明の第２実施形態により提供される照明装置において、図６のＦ−Ｆ’線の断面を概略的に示す図である。
【図１１】本発明の第２実施形態により提供される照明装置において、図６のＧ−Ｇ’線の断面を概略的に示す図である。
【図１２】本発明の第２実施形態により提供される照明装置において、図６のＨ−Ｈ’線の断面を概略的に示す図である。
【図１３】本発明の第２実施形態により提供される照明装置において、取付けフレームと光源モジュールが分離した状態を示す図である。
【図１４】本発明の第２実施形態により提供される照明装置において、取付けフレームと光源モジュールが結合された状態で回転する態様を、概略的に示す平面図である。
【図１５】光源モジュールの回転方向に応じた照明装置の、標準配光特性に関するシミュレーション結果を示す図である。
【図１６】光源モジュールの回転方向に応じた照明装置の、水平配光特性に関するシミュレーション結果を示す図である。
【図１７】光源モジュールの回転方向に応じた照明装置の、垂直配光特性に関するシミュレーション結果を示す図である。
【図１８】回転フレームが適用されたリフレクターモジュール部を概略的に示す平面図である。
【図１９】回転フレームが適用されたリフレクターモジュール部を概略的に示す断面図である。
【図２０】リフレクターモジュール部に適用された回転フレームの回転方法を概略的に示す平面図である。
【図２１】本発明の他の実施形態により、乱反射のために反射面に突起を形成した光源ガイドホールが備えられた光源モジュールを概略的に示す断面図である。
【発明を実施するための形態】
【００２０】
以下、本発明は添付図面を参考にして下記の説明によって達成される。下記の説明は本発明の好ましい具体例を記述したものとして理解すべきであり、本発明が必ずしもこれに限定されるものではない。
【００２１】
図１は本発明の第１実施例により提供される光源モジュールのうち、リフレクターモジュール部の構造を概略的に示す平面図である。
図２は図１に示されたリフレクターモジュール部のＡ−Ａ’線断面図であり、図３は図１に示されたリフレクターモジュール部のＢ−Ｂ’線断面図である。
図４は図１に示されたリフレクターモジュール部に光源の発光部が配置された構成と、第１および第２光源ガイドホールを通じて光源の発光部から放出される光の経路を概略的に示す図である。
【００２２】
図１〜図４を参照すれば、光源モジュール１００（図４）は、大きく、リフレクターモジュール部１０および光源の発光部２０を含む構成を有する。
前記図に示された実施形態によれば、リフレクターモジュール部１０は、ベース部材１１、前記ベース部材１１に複数形成された第１光源ガイドホール１２、および第２光源ガイドホール１３を備える。このとき、ベース部材は単一プレートタイプ（a single plate type）で構成することができ、第１および第２光源ガイドホール１２、１３には各々光源の照射方向を決めるための反射面１５ａ、1５ｂが形成されている。
【００２３】
第１光源ガイドホール１２の一端（図面では下端）に備えられた光源の発光部２０（図４）から発生した光が、傾斜した経路に沿って光源モジュールから放出される（すなわち、光源から放出される光が傾斜した方向に照射される）。このために、第１光源ガイドホール１２は光源の光軸に対して非対称の方向性をもって形成された反射面１５ａを含む。このとき、第１光源ガイドホール１２は、ベース部材１１の周辺部（または周辺領域）に一体に備えられることが好ましい。
【００２４】
図４を参照すれば、第１光源ガイドホール１２の反射面１５ａは、ベース部材１１の垂直断面視において、非対称の方向性をもって形成されている。このとき、第１光源ガイドホール１２の他端は、ベース部材１１の平面視で長円形を形成することができる。上述した非対称性を実現するにおいて、第１光源ガイドホール１２の反射面は、好ましくは、傾斜面および垂直面の組み合わせ（混合）で構成されることもでき、このとき、前記反射面のチルト角度は、各々の方向において区別されることができる（観察方向に応じて、光源ガイドホールの反射面の傾斜角度が異なって見える）。
【００２５】
一方、第２光源ガイドホール１３は、リフレクターモジュール部１０の中心部(中心部位)に形成されており、好ましくは、ベース部材１１の中心部に一体に備えられる。前記第２光源ガイドホール１３は、光源から放出される光の直進方向（図４において符号Ｐで示される、光源の光軸方向またはこれと平行な方向）に照射されるようにする。このために、第２光源ガイドホール１３の反射面１５ｂは、光源の光軸に対して対称の方向性をもって形成される。
【００２６】
図４を参照すれば、第２光源ガイドホール１３の反射面は、ベース部材１１の垂直断面を基準に対称の方向性（または形状）をもって形成されている。この場合、第２光源ガイドホール１３の他端は、前記ベース部材の平面視で円形を形成することができる。
前記のような対称性を実現するために、本発明の一実施形態によれば、反射面１５ｂのチルト角度を全ての方向において同一にすることができ、また、反射面１５ｂを傾斜面として構成することもできる。
前記図面においては、第２光源ガイドホール１３を１つで構成した実施形態を示しているが、場合によっては複数で構成することもでき、これも本発明の範囲に含まれる。
【００２７】
本発明の他の実施形態によれば、図４に示された複数の第１光源ガイドホール１２の配列に変更を加え、ベース部材１１の周辺部に備えられた第１光源ガイドホール１２において、反射面１５ａの垂直面は、ベース部材１１の中心部に備えられた第２光源ガイドホール１３に隣接するように配置され、反射面１５ａの傾斜面は、ベース部材の中心部に備えられた第２光源ガイドホール１３と対向するように配置されることができる。
光源の発光部２０は、好ましくは、ＬＥＤモジュール（例えば、プリント基板（PCB）にＬＥＤ素子が実装された形態）であって、リフレクターモジュール部１０に構成される第１光源ガイドホール１２および第２光源ガイドホール１３の各々の一端（下端）に配置される。
【００２８】
本発明の一実施形態において、光源モジュール１００が照明装置内に容易に結合設置されるように、ベース部材１１の下部には係止部１４ａ（図１３参照）が備えられた回転ガイドリブ１４が突出形成されることとしても良い。このとき、図１に示すように、前記回転ガイドリブ１４は、一定間隔をおいて突出形成された状態で、取付けの便宜性を高めるための付勢力（tension）を持たせることが好ましい。
このように、光源の発光部２０に電源が印加されることによって放出される光は、図４に示すように、第１光源ガイドホール１２を通じて一定角度（θ）に傾斜した経路に沿って（傾斜した方向に）照射され、第２光源ガイドホール１３を通じて直進方向（Ｐ）に照射されることができる。
【００２９】
図５〜図１４は、本発明の実施形態による光源モジュール１００を適用して構成した照明装置、特に街灯に好適な照明装置に関する他の実施形態を、例示的に示す図である。
図５は、本発明の第２実施形態により提供される照明装置の外観を概略的に示す図である。前記で図示された照明装置の場合、照明器具（あるいは照明器具ハウジング）４０が、地面に（好ましくは垂直に）設けられた支柱３０、特に支柱の上端にアームホルダー４１を介して、取付けられている。照明器具４０において、複数の光源モジュール１００は、下部の取付けフレーム（図５には図示せず）と結合されている。また、光源モジュールに対応する配列で形成された複数のホールを有する金属プレート４２が一種の反射板として設けられ、前記ホールを通じて光源モジュール１００が外部に露出される。金属プレート４２は、内部に位置する取付けフレームの形態を考慮して屈曲形状を有するように製作することができる。
【００３０】
図６は、本発明の第２実施形態により提供される照明装置において、取付けフレームに光源モジュールが結合された構造を概略的に示す平面図である。
図示のように、取付けフレーム５０（図１３）は、複数の分割面（例として９等分）に分割された状態で分割線（Ｘ）により分割され（図６）、取付け平面（Ｄ５およびＤ８）および、同一または相異なる角度の（すなわち、同一または異なる面方向(orientation)を有する）取付け傾斜面（Ｄ１、Ｄ２、Ｄ３、Ｄ４、Ｄ６、Ｄ７、およびＤ９）が、形成されるようにしたものである。
【００３１】
図７〜図１２は、本発明の第２実施形態により提供される照明装置において、各々、図６のＣ−Ｃ’線、Ｄ−Ｄ’線、Ｅ−Ｅ’線、Ｆ−Ｆ’線、Ｇ−Ｇ’線、およびＨ−Ｈ’線における断面を概略的に示す図である。
前記図面を参照すれば、前記Ｄ１およびＤ３の取付け傾斜面に対応する傾斜角度は、一例として約＋５°に同一に維持し（図１０、図１２）、Ｄ４、Ｄ６、Ｄ７、およびＤ９の取付け傾斜面に対応する傾斜角度は、一例として約−２５°に同一に維持する（図８、図９）。また、Ｄ２の取付け傾斜面に対応する傾斜角度は、一例として約＋２５°に維持する（図１１）。このような取付け傾斜面に対応する具体的な傾斜角度は、例示的な意味として理解すべきであり、本発明が必ずしもこれに限定されるものではない。例えば、配光効率を上げるために、必要によっては、傾斜角度を相異なるようにするか、あるいは傾斜角度をより増減することができる。
【００３２】
このとき、光源モジュール１００のベース部材１１（図１３）に、前記取付け平面（Ｄ５およびＤ８）、および同一または相異なる角度で形成された取付け傾斜面（Ｄ１、Ｄ２、Ｄ３、Ｄ４、Ｄ６、Ｄ７、およびＤ９）を一体化させることができる。ベース部材１１と取付け平面／取付け傾斜面の結合のために、好ましくは、ベース部材１１に係止部１４ａが備えられた回転ガイドリブ１４（図１３）を形成し、前記取付け平面（Ｄ５およびＤ８）および取付け傾斜面（Ｄ１、Ｄ２、Ｄ３、Ｄ４、Ｄ６、Ｄ７、およびＤ９）には、各々、回転ガイドリブ１４に対応するリブスリット５１（図１３）が形成される。
具体的には、リブスリット５１に回転ガイドリブ１４を嵌め込めば、回転ガイドリブ１４に備えられた係止部１４ａにより、回転ガイドリブ１４はリブスリット５１から離脱しなくなる。また、光源モジュール１００は、回転ガイドリブ１４とリブスリット５１が締結された状態で、時計方向または反時計方向に一定角度の回転が可能である（図１および図１３参照）。
【００３３】
前記実施形態においては、ベース部材１１に備えられた回転ガイドリブ１４と取付けフレーム５０のリブスリット５１が締結されるが、場合によっては、このような締結方式が必要とされず、直接光源モジュール１００と取付けフレーム５０を結合することもできる。
一方、光源モジュール１００の場合、前述したように本発明の第１実施形態で説明した通りであり、以下では重複する説明は省略する。
また、前記照明器具４０の前面には、例えば、強化ガラスのような透明材質のカバーが備えられ、これを通じて、光源モジュール１００から放出された光が照明器具４０の外部へ照射されることができる。このとき、光がより効果的に拡散放出されるように、拡散剤などを含有する透明プラスチック材質から構成することもできる。
【００３４】
要約すれば、図７〜図１２に示された実施形態の場合、対称／非対称の方向性をもって形成された光源ガイドホールによって、光源の照射方向を設定したリフレクターモジュール部１０および光源の発光部２０を含む光源モジュール１００を、照明器具４０内の取付けフレーム５０に複数配置したものである。このとき、取付けフレーム５０を構成する取付け平面（Ｄ５およびＤ８）および取付け傾斜面（Ｄ１、Ｄ２、Ｄ３、Ｄ４、Ｄ６、Ｄ７、およびＤ９）の各々に、光源モジュール１００が取付けられる。
照明器具４０内の光源モジュール１００が発光して光を照射する時、この照射される光は、照明器具４０内における設置角度の調節により、また、リフレクターモジュール部１０の各々の非対称と対称の方向性をもった第１光源ガイドホール１２および第２光源ガイドホール１３によって、地面への配光特性を改善することができる。
【００３５】
例えば、取付けフレーム５０の取付け平面（Ｄ５およびＤ８）および取付け傾斜面（Ｄ１、Ｄ２、Ｄ３、Ｄ４、Ｄ６、Ｄ７、およびＤ９）に、各々光源モジュール１００を取付ける際、光源モジュール１００を、各々、Ｍ５、Ｍ８、Ｍ１、Ｍ２、Ｍ３、Ｍ４、Ｍ６、Ｍ７、およびＭ９とすれば、下記の表１のように構成することができる。
【表１】
2011513931.tif 000003
ここで、（−）は反時計方向、（＋）は時計方向への回転を意味し、数字は回転角度を示す。
【００３６】
図１４は、本発明の第２実施形態により提供される照明装置において、取付けフレームと光源モジュールが結合された状態で回転する態様を、概略的に示す平面図である。
より具体的に説明すれば、
Ｄ１の取付け傾斜面に光源モジュール１００としてＭ１を取付け、
Ｄ２の取付け傾斜面に光源モジュール１００としてＭ２を取付け、
Ｄ３の取付け傾斜面に光源モジュール１００としてＭ３を取付け、
Ｄ４の取付け傾斜面に光源モジュール１００としてＭ４を取付け、
Ｄ５の取付け平面に光源モジュール１００としてＭ８を取付け、
Ｄ６の取付け傾斜面に光源モジュール１００としてＭ６を取付け、
Ｄ７の取付け傾斜面に光源モジュール１００としてＭ５を取付け、
Ｄ８の取付け平面に光源モジュール１００としてＭ９を取付け、また
Ｄ９の取付け傾斜面に光源モジュール１００としてＭ７を取付ける。
その次、前記表１のように、Ｍ１、Ｍ２、Ｍ３、Ｍ４、Ｍ５、Ｍ６、Ｍ７、Ｍ８、およびＭ９の光源モジュール１００を、標準（Standard）、水平（Horizontal）、および垂直（Vertical）の形態（またはモード）に応じて、各々設定された回転方向に回転させる。
【００３７】
図１５〜図１７は、各々、光源モジュールの回転方向に応じた照明装置の標準配光特性、水平配光特性、および垂直配光特性に関するシミュレーション結果を示す。
標準形態の場合、支柱３０の前方および左右に光源が拡散する配光特性を示す（図１５参照）。
水平形態の場合、支柱３０の前方への光源の拡散幅は標準形態に比べて減少する反面、左右への光源拡散は増加する配光特性を示す（図１６参照）。
垂直形態の場合、支柱３０の前方へは光源拡散がなされないが、支柱３０の前方から一側方向に外れた状態で光源が拡散する配光特性を示す（図１７参照）。
【００３８】
本明細書において、前記表１に記載されている通り、標準、水平、および垂直形態の回転方向に、光源モジュール１００であるＭ１、Ｍ２、Ｍ３、Ｍ４、Ｍ５、Ｍ６、Ｍ７、Ｍ８、およびＭ９を回転させる実施形態は、例示的な意味として理解しなければならない。上述した実施形態により、照明環境に応じて配光特性の変更が要求される場合には、その回転方向および回転程度を、容易に変更することができる。
【００３９】
一方、本発明に係る光源モジュールのリフレクターモジュール部は、前述した構成に限定されず、多様な変形形態で構成することができ、以下にて具体的に説明する。
図１８および図１９は、各々、回転フレームが適用されたリフレクターモジュール部１０を、概略的に示す平面図および断面図である。また、図２０は、リフレクターモジュール部１０に適用された回転フレーム７０の回転態様を、概略的に示す平面図である。
前記図面に示された実施形態において、リフレクターモジュール部１０のベース部材１１、好ましくは、ベース部材１１の周辺部(外周部近傍)には、複数の結合孔１１ａが形成される。また、回転フレーム７０には、第１光源ガイドホール１２が一体に形成されている。このとき、前記回転フレーム７０は、前記複数の結合孔１１ａの各々に回転可能に嵌め込まれて、構成されることができる。
【００４０】
本発明の好ましい実施形態によれば、回転フレーム７０の外周面には、回転ガイド突起７１を形成し、ベース部材１１には、結合孔１１ａの内周面に、前記回転ガイド突起７１を位置決めする回転ガイド溝部１１ｂを備える。
これにより、リフレクターモジュール部１０にいくつかの回転フレーム７０を結合させた状態で、前記各々の回転フレーム７０に形成された第１光源ガイドホール１２を、前述した実施形態（例えば、図１〜図４、図１３、および図１４）のように、いずれか一方向だけに固定させず、図２０のように独立的な方向、すなわち、相異なる方向に向かうように、第１光源ガイドホールの方向性を変更させることができる。図２０を参照すれば、第１光源ガイドホール１２において、反射面の垂直面は第２光源ガイドホール１３に隣接するように（近く）配置される一方、反射面の傾斜面は第２光源ガイドホール１３と対向するように配置される。上記のように回転フレームを用いる場合には、簡単な回転操作により、第１光源ガイドホール１２の方向性を容易に変更することができる。
【００４１】
以下では、前述したものと同一の構成要素（光源の発光部など）に対しては、同一符号で表示し、その重複する説明は省略する。
図２１は、本発明の他の実施形態により、乱反射のために反射面に突起を形成した光源ガイドホールが備えられた光源モジュールを、概略的に示す断面図である。
前記で図示された実施形態によれば、第１光源ガイドホール１２および／または第２光源ガイドホール１３の内周面、すなわち反射面に、乱反射のための複数の突起８０が形成されている。このように乱反射のための突起を形成する場合、配光角度を拡大できることは勿論、ＬＥＤ光源を採択する場合、ＬＥＤの光直進性に起因して引き起こされるグレア現象などを、緩和する効果を得ることができる。
【００４２】
本発明の単なる変形乃至変更は、全て本発明の領域に属するものであり、本発明の具体的な保護範囲は、添付した特許請求の範囲によって明らかになる。
【符号の説明】
【００４３】
１０：リフレクターモジュール部、１１：ベース部材、１１ａ：結合孔、１１ｂ：回転ガイド溝部、１２：第１光源ガイドホール、１３：第２光源ガイドホール、１４：ガイドリブ、１４ａ：係止部、  １５ａ、1５ｂ：反射面、２０：光源の発光部、３０：支柱、４０：照明器具、５０：取付けフレーム、５１：リブスリット、７０：回転フレーム、７１：回転ガイド突起８０：突起、１００：光源モジュール、  Ｄ１、Ｄ２、Ｄ３、Ｄ４、Ｄ６、Ｄ７、Ｄ９：取付け傾斜面、  Ｄ５、Ｄ８：取付け平面
【図１】
2011513931.tif 000004
【図２】
2011513931.tif 000005
【図３】
2011513931.tif 000006
【図４】
2011513931.tif 000007
【図５】
2011513931.tif 000008
【図６】
2011513931.tif 000009
【図７】
2011513931.tif 000010
【図８】
2011513931.tif 000011
【図９】
2011513931.tif 000012
【図１０】
2011513931.tif 000013
【図１１】
2011513931.tif 000014
【図１２】
2011513931.tif 000015
【図１３】
2011513931.tif 000016
【図１４】
2011513931.tif 000017
【図１５】
2011513931.tif 000018
【図１６】
2011513931.tif 000019
【図１７】
2011513931.tif 000020
【図１８】
2011513931.tif 000021
【図１９】
2011513931.tif 000022
【図２０】
2011513931.tif 000023
【図２１】
2011513931.tif 000024
【国際調査報告】
2011513931.tif 000025
2011513931.tif 000026
2011513931.tif 000027
2011513931.tif 000028